【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
表示領域を有し、前記表示領域に画像を表示する表示手段と、
ドキュメントを表示するためのドキュメントデータを格納する記憶手段と、
前記ドキュメントデータに基づく画像の表示指示の入力を受け付ける入力手段と、
前記入力に応答して、前記ドキュメントデータに基づいて前記表示領域に画像を表示す
るための表示データを生成する生成手段と、
前記ドキュメントデータと前記表示データとに基づいて、前記ドキュメントデータに基づいて表示可能な全体画像と前記表示データに基づいて表示される部分画像との位置関係を表わすための画像データを生成する画像データ生成手段と、
前記表示データと前記画像データとに基づいて、前記表示手段に画像を表示させるための表示制御手段とを備える、ドキュメント表示装置。
【請求項２】
前記表示領域は、矩形であり、
前記画像データ生成手段は、
前記全体画像の形状を示す第１のインジケータを表示するための第１の指示画像データを生成する第１のインジケータ生成手段と、
前記第１の指示画像データに基づいて、前記全体画像における前記部分画像の位置を示す第２のインジケータを表示するための第２の指示画像データを生成する第２のインジケータ生成手段とを含む、請求項１に記載のドキュメント表示装置。
【請求項３】
前記全体画像は、矩形に表示可能であり、
前記ドキュメント表示装置は、前記全体画像の縦横比を算出する第１の算出手段をさらに備え、
前記第１のインジケータ生成手段は、前記表示領域の１辺の座標方向に沿って表示される第１の領域画像の長さと、前記１辺に隣接する他の１辺の座標方向に沿って表示される第２の領域画像の長さとが、前記縦横比に対応するように、前記第１の領域画像を表示させるためのデータと、前記第２の領域画像とを表示させるためのデータとを生成し、
前記部分画像は、前記全体画像の座標方向と同一の座標方向に基づいて表示され、
前記ドキュメント表示装置は、前記ドキュメントデータと前記表示データとに基づいて、前記部分画像の１辺の長さと、前記１辺に対応する前記全体画像の１辺の長さとの割合を、前記表示領域の座標方向ごとにそれぞれ算出する第２の算出手段をさらに備え、
前記第２のインジケータ生成手段は、前記長さの割合に基づいて、前記表示領域の１辺の座標方向に沿って表示される第１の指示画像を表示させるためのデータと、前記表示領域の１辺の座標方向と異なる座標方向に沿って表示される第２の指示画像を表示させるためのデータとを生成する、請求項２に記載のドキュメント表示装置。
【請求項４】
前記入力手段は、検索の対象となるデータの入力を受け付け、
前記ドキュメント表示装置は、前記ドキュメントデータから、入力されたデータを検索する検索手段をさらに備え、
前記画像データ生成手段は、前記ドキュメントデータと前記検索の結果とに基づいて、前記検索手段により検索されたデータの位置を示す第３のインジケータを表示するための第３の指示画像データを生成する第３のインジケータ生成手段をさらに含み、
前記表示制御手段は、前記第３の指示画像データに基づいて、前記表示手段に前記第３のインジケータを表示させる、請求項２に記載のドキュメント表示装置。
【請求項５】
前記ドキュメント表示装置は、前記ドキュメントデータと前記検索されたデータとに基づいて、前記検索されたデータに基づいて表示されるオブジェクト画像の１辺の長さと、前記オブジェクト画像の１辺に対応する前記全体画像の１辺の長さとの割合を、前記表示
領域の座標方向ごとにそれぞれ算出する第３の算出手段をさらに備え、
前記第３のインジケータ生成手段は、前記第３の算出手段により算出される各割合に基づいて、前記表示領域の１辺の座標方向に沿って画像を表示させるためのデータと、前記表示領域の１辺の座標方向と異なる座標方向に沿って画像を表示させるためのデータとの少なくともいずれかを生成する、請求項４に記載のドキュメント表示装置。
【請求項６】
前記第３のインジケータ生成手段は、前記表示領域の第１の座標方向と同一の座標方向に沿って示される第１の画像を表示するための第１の画像データと、前記第１の座標方向と異なる座標方向に沿って示される第２の画像を表示するための第２の画像データとの少なくともいずれかを生成する、請求項４に記載のドキュメント表示装置。
【請求項７】
前記ドキュメントデータは、複数のドキュメント画像データを含み、
前記複数のドキュメント画像データの各々は、予め定められた書式に基づいて、各ドキュメント画像データごとに表示可能であり、
前記入力手段は、前記複数のドキュメント画像データのいずれかのドキュメント画像データに基づく画像を表示する指示の入力を受け付け、
前記画像データ生成手段は、前記いずれかのドキュメント画像データに基づいて前記表示領域に表示可能な全体画像と、前記部分画像との位置関係を表わすための画像データを生成する、請求項１に記載のドキュメント表示装置。
【請求項８】
前記ドキュメント表示装置は、
前記指示に基づいて特定されるドキュメント画像データの、前記複数のドキュメント画像データ全体における位置を特定するための表示ページと、前記複数のドキュメント画像データに基づいて特定される全体ページとを取得する取得手段と、
前記表示ページと前記全体ページとを表示するためのページデータを生成する手段とをさらに備える、請求項７に記載のドキュメント表示装置。
【請求項９】
表示領域を有し、前記表示領域に画像を表示する表示手段と、
ドキュメントを表示するためのドキュメントデータを格納する記憶手段と、
前記ドキュメントデータに基づく前記ドキュメントの表示指示の入力および前記ドキュメントにおいて検索の対象となるデータの入力を受け付ける入力手段と、
前記表示指示の入力に応答して、前記ドキュメントデータに基づいて前記表示領域に画像を表示するための表示データを生成する生成手段と、
前記ドキュメントデータから、前記入力手段に受け付けられた前記検索の対象となるデータを検索する検索手段と、
前記ドキュメントデータと前記検索の結果とに基づいて、前記検索手段により検索されたデータの位置を示す指示画像を表示するための画像データを生成する画像データ生成手段と、
前記表示データに基づく前記画像を前記表示領域に表示するとともに、前記表示領域の第１の座標方向と、前記第１の座標方向とは異なる第２の座標方向との少なくともいずれか一方の座標方向に従って、前記画像データに基づく前記指示画像を表示させるための表示制御手段とを備える、ドキュメント表示装置。
【請求項１０】
画像を表示する表示手段を備えるコンピュータを、ドキュメント表示装置として機能させるためのプログラムであって、前記プログラムは前記コンピュータに、
ドキュメントを表示するためのドキュメントデータを準備するステップと、
前記ドキュメントデータに基づく画像の表示指示の入力を受け付けるステップと、
前記入力に応答して、前記ドキュメントデータに基づいて、前記表示手段の表示領域に画像を表示するための表示データを生成するステップと、
前記ドキュメントデータと前記表示データとに基づいて、前記ドキュメントデータに基づいて表示可能な全体画像と前記表示データに基づいて表示される部分画像との位置関係を表わすための画像データを生成するステップと、
前記表示データと前記画像データとに基づいて、前記表示手段に画像を表示させるためのステップとを実行させる、プログラム。
【請求項１１】
画像を表示する表示手段を備えるコンピュータを、ドキュメント表示装置として機能させるためのプログラムであって、前記プログラムは前記コンピュータに、
ドキュメントを表示するためのドキュメントデータを予め準備するステップと、
前記ドキュメントデータに基づく前記ドキュメントの表示指示の入力および前記ドキュメントにおいて検索の対象となるデータの入力を受け付けるステップと、
前記表示指示の入力に応答して、前記ドキュメントデータに基づいて前記表示領域に画像を表示するための表示データを生成するステップと、
前記ドキュメントデータから、前記入力ステップに受け付けられた前記検索の対象となるデータを検索するステップと、
前記ドキュメントデータと前記検索の結果とに基づいて、検索されたデータの位置を示す指示画像を表示するための画像データを生成するステップと、
前記表示データに基づく前記画像を前記表示領域に表示するとともに、前記表示領域の第１の座標方向と、前記第１の座標方向とは異なる第２の座標方向との少なくともいずれか一方の座標方向に従って、前記画像データに基づく前記指示画像を表示させるステップとを実行させる、プログラム。
【手続補正２】
【補正対象書類名】明細書
【補正対象項目名】発明の名称
【補正方法】変更
【補正の内容】
【発明の名称】ドキュメント表示装置、および、コンピュータをドキュメント表示装置として機能させるためのプログラム
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】変更
【補正の内容】
【００３４】
この発明のある局面に従うと、ドキュメント表示装置は、表示領域を有し、表示領域に画像を表示する表示手段と、ドキュメントを表示するためのドキュメントデータを格納する記憶手段と、ドキュメントデータに基づく画像の表示指示の入力を受け付ける入力手段と、入力に応答して、ドキュメントデータに基づいて表示領域に画像を表示するための表示データを生成する生成手段と、ドキュメントデータと表示データとに基づいて、ドキュメントデータに基づいて表示可能な全体画像と表示データに基づいて表示される部分画像との位置関係を表わすための画像データを生成する画像データ生成手段と、表示データと画像データとに基づいて、表示手段に画像を表示させるための表示制御手段とを備える。
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００４３
【補正方法】変更
【補正の内容】
【００４３】
好ましくは、ドキュメント表示装置は、ドキュメントデータと検索されたデータとに基づいて、検索されたデータに基づいて表示されるオブジェクト画像の１辺の長さと、オブジェクト画像の１辺に対応する全体画像の１辺の長さとの割合を、表示領域の座標方向ごとにそれぞれ算出する第３の算出手段をさらに備える。第３のインジケータ生成手段は、第３の算出手段により算出される各割合に基づいて、表示領域の１辺の座標方向に沿って画像を表示させるためのデータと、表示領域の１辺の座標方向と異なる座標方向に沿って画像を表示させるためのデータとのいずれかを生成する。
【手続補正３０】
【補正対象書類名】明細書
【補正対象項目名】００４４
【補正方法】変更
【補正の内容】
【００４４】
好ましくは、第３のインジケータ生成手段は、表示領域の第１の座標方向と同一の座標方向に沿って示される第１の画像を表示するための第１の画像データと、第１の座標方向と異なる座標方向に沿って示される第２の画像を表示するための第２の画像データとのいずれかを生成する。
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】変更
【補正の内容】
【００４８】
この発明のある局面に従うと、プログラムは、画像を表示する表示手段を備えるコンピュータを、ドキュメント表示装置として機能させる。このプログラムは、コンピュータに、ドキュメントを表示するためのドキュメントデータを準備するステップと、ドキュメントデータに基づく画像の表示指示の入力を受け付けるステップと、入力に応答して、ドキュメントデータに基づいて、表示手段の表示領域に画像を表示するための表示データを生成するステップと、ドキュメントデータと表示データとに基づいて、ドキュメントデータに基づいて表示可能な全体画像と表示データに基づいて表示される部分画像との位置関係を表わすための画像データを生成するステップと、表示データと画像データとに基づいて、表示手段に画像を表示させるためのステップとを実行させる。
【手続補正３３】
【補正対象書類名】明細書
【補正対象項目名】００４９
【補正方法】削除
【補正の内容】
【手続補正３４】
【補正対象書類名】明細書
【補正対象項目名】００５０
【補正方法】削除
【補正の内容】
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】削除
【補正の内容】
【手続補正３８】
【補正対象書類名】明細書
【補正対象項目名】００５４
【補正方法】変更
【補正の内容】
【００５４】
本発明に係るドキュメント表示装置によると、元のドキュメントに対して拡大して表示されている部分の位置が示される。この表示は、表示されているドキュメントとは異なる領域において行なわれるため、ドキュメントの視認性の低下を防止することができる。
【手続補正３９】
【補正対象書類名】明細書
【補正対象項目名】００５５
【補正方法】削除
【補正の内容】
【手続補正４０】
【補正対象書類名】明細書
【補正対象項目名】００５６
【補正方法】変更
【補正の内容】
【００５６】
本発明に係るプログラムによると、コンピュータは、元のドキュメントに対して拡大して表示されている部分の位置を示すドキュメント表示装置として機能することができる。この表示は、表示されているドキュメントとは異なる領域において行なわれるため、ドキュメントの視認性の低下を防止することができる。
【手続補正４１】
【補正対象書類名】明細書
【補正対象項目名】００５７
【補正方法】削除
【補正の内容】